(57)【要約】【課題】  浮き上がり防止のための専用部品を組込みこむことによる部品点数の増大を招くことなく、文字板の開口縁部の浮き上がりを防止し得る指針照明機能付きの車両用指示計器を提供する。【解決手段】    開口１７が形成された文字板１１と、透光性を有する材料からなり文字板１１の表面側で該表面に沿って開口１７を通る回転軸線の回りに回転可能な指針１４と、該指針の内部に照射光を案内するための導光部材２０とを備える車両用指示計器１０。導光部材２０には、文字板１１の裏面側で回転軸線を取り巻いて配置され、その頂部から開口１７を経て指針１４に向けての照射光を放出する筒状部２０ａが設けられ、該筒状部には文字板１１の開口１７の縁部１７ａを係止する係止部２１が一体的に設けられている。【選択図】  図２
2005227050.tif 000002
【特許請求の範囲】
【請求項１】
開口が形成された文字板と、透光性を有する材料からなり前記文字板の表面側で該表面に沿って前記開口を通る回転軸線の回りに回転可能な指針と、該指針の内部に照射光を案内するための導光部材とを備える車両用指示計器であって、前記導光部材には、前記文字板の裏面側で前記回転軸線を取り巻いて配置され、その頂部から前記指針に向けての照射光を放出する筒状部が設けられ、該筒状部には前記文字板の前記開口の縁部を係止する係止部が一体的に設けられていることを特徴とする車両用指示計器。
【請求項２】
前記導光部材の前記頂部には前記文字板の前記裏面を受ける頂面が形成され、該頂面に前記係止部が形成されており、該係止部は、前記導光部材の前記頂面から前記文字板の前記表面を越えて突出して形成されるフックであって前記文字板の前記開口縁部を部分的に係止すべく先端が前記文字板の前記表面に係合可能のフックからなることを特徴とする請求項１に記載の車両用指示計器。
【請求項３】
前記導光部材の前記筒状部は、前記文字板の裏面側から該文字板の前記開口を経て前記文字板の前記表面を越えて伸長し、前記導光部材の前記係止部は、前記文字板の前記開口縁部を挟持すべく前記筒状部の周面に形成された凹溝からなることを特徴とする請求項１に記載の車両用指示計器。
【請求項４】
前記係止部を覆いかつ前記文字板の前記開口縁部を覆う遮光性のキャップが前記指針に装着されていることを特徴とする請求項１に記載の車両用指示計器。
【発明の詳細な説明】
【技術分野】
【０００１】
本発明は、指針式の車両用指示計器に関し、特に、指針の内部に照明光を導いて指針自体を輝かせる指針照明機能を有する車両用指示計器に関する。
【背景技術】
【０００２】
指針照明機能を有する車両用指示計器では、文字板および該文字板の背面に配置された導光板に整合して形成された開口を貫通する回転軸に指針がその基部で取り付けられている。導光板の開口縁部から、該導光板上の文字板の開口縁部を経て、照明のための光が基部に照射され、この照射光が指針の指針部に案内されると、指針部を輝かせることにより、指針の視認性が高められると共に装飾性が高められる。
【０００３】
ところで、文字板の前記した開口縁部が導光板から浮き上がることを防止するために、導光板の開口縁部から文字板の表面を越えて立ち上がる筒状のカラー部材を導光板の開口縁部に係止されるように該導光板に装着し、このカラー部材に文字板の開口縁部を覆う環状のフランジを形成することにより、該フランジと導光板の開口縁部との間に文字板の開口縁部を挟み込む構造が提案されている（例えば、特許文献１参照。）。
【０００４】
前記したカラー部材のフランジにより文字板の開口縁部の浮き上がりを防止することができる。
【特許文献１】特開２０００−１９３４９７号公報（第３頁段落００２０、図１）
【発明の開示】
【発明が解決しようとする課題】
【０００５】
しかしながら、文字板の開口縁部の浮き上がりを防止するために、カラー部材のような別部品を組み込むと、部品点数が増え、そのために組み立て工程が煩雑化すると共にコストアップを招く。
【０００６】
そこで、本発明の目的は、浮き上がり防止のための専用部品を組込みこむことによる部品点数の増大を招くことなく、文字板の開口縁部の浮き上がりを防止し得る指針照明機能付きの車両用指示計器を提供することにある。
【課題を解決するための手段】
【０００７】
本発明は、基本的には、車両用指示器の文字板上を回転する指針へ照明光を案内するための導光部材に、文字板の開口縁部を係止する係止部を形成したことを特徴とする。
【０００８】
ために、請求項１に記載の発明は、開口が形成された文字板と、透光性を有する材料からなり前記文字板の表面側で該表面に沿って前記開口を通る回転軸線の回りに回転可能な指針と、該指針の内部に照射光を案内するための導光部材とを備える車両用指示計器であって、前記導光部材には、前記文字板の裏面側で前記回転軸線を取り巻いて配置され、その頂部から前記指針に向けての照射光を放出する筒状部が設けられ、該筒状部には前記文字板の前記開口の縁部を係止する係止部が一体的に設けられていることを特徴とする。
【０００９】
請求項２に記載の発明は、請求項１に記載の発明において、前記導光部材の前記頂部には前記文字板の前記裏面を受ける頂面が形成され、該頂面に前記係止部が形成されており、該係止部は、前記導光部材の前記頂面から前記文字板の前記表面を越えて突出して形成されるフックであって前記文字板の前記開口縁部を部分的に係止すべく先端が前記文字板の前記表面に係合可能のフックからなることを特徴とする。
【００１０】
請求項３に記載の発明は、請求項１に記載の発明において、前記導光部材の前記筒状部は、前記文字板の裏面側から該文字板の前記開口を経て前記文字板の前記表面を越えて伸長し、前記導光部材の前記係止部は、前記文字板の前記開口縁部を挟持すべく前記筒状部の周面に形成された凹溝からなることを特徴とする。
【００１１】
請求項４に記載の発明は、請求項１に記載の発明において、前記係止部を覆いかつ前記文字板の前記開口縁部を覆う遮光性のキャップが前記指針に装着されていることを特徴とする。
【００１２】
請求項１に記載の発明では、照明光を指針に向けて放出する導光部材の筒状部に形成された係止部が文字板の開口縁部を確実に係止する。この係止部の係止作用によって、従来のような係止のための専用の別部品を組み込むことなく確実に文字板の浮き上がりが防止される。
【００１３】
請求項２に記載の発明では、導光部材の頂面に形成されたフックにより前記した係止部が構成され、このフックからなる係止部によって文字板の浮き上がりが防止される。
【００１４】
請求項３に記載の発明では、文字板の開口縁部を挟持する凹溝が確実に文字板の浮き上がりを防止する。この凹溝を筒状部の前記周面を取り巻くように形成することにより環状溝とし、この環状溝で文字板の開口縁部の全周を挟持することができ、これにより一層確実に文字板の浮き上がりを防止することができる。
【００１５】
請求項４に記載の発明では、遮光性のキャップが導光部材からの不要な照明光を遮断することにより、装飾性が高められる。
【発明の効果】
【００１６】
本発明によれば、照明光を指針に向けて放出する導光部材の筒状部に形成された係止部の係止作用によって、浮き上がり防止のための専用部品を組み込むことなく確実に文字板の浮き上がりを防止することができる。
【発明を実施するための最良の形態】
【００１７】
以下、本発明の特徴を図示の実施の形態に沿って、詳細に説明する。
【実施例】
【００１８】
〈実施の形態１〉
図１は本発明に係る指針式車両用指示計器の外観を概略的に示す。
【００１９】
本発明に係る車両用指示計器１０は、図示の例では速度計である。車両用指示計器１０は透明な合成樹脂板からなる文字板１１を備える。文字板１１には、速度を示す文字、速度値を示す数字およびその目盛等の表示部１２が従来よく知られた印刷の多色刷りにより、背景色上の透光部分で形成されている。また、文字板１１上には、遮光性を有するキャップ１３を装着した指針１４が配置されている。
【００２０】
また、車両用指示計器１０は、図２に示すように、電気回路が形成された基板１５を備え、該基板を覆うように基板１５上にはハウジング１６が配置されている。ハウジング１６は、その一部である円筒状のボス部１６ａを除く他の部分が図面の簡素化のために省略されている。そのため、ハウジング１６は、基板１５から立ち上がる円筒状のボス部１６ａが図２に示されているに過ぎない。
【００２１】
ハウジング１６には、従来よく知られているように、ボス部１６ａの端面１６ｂに対応した領域を含む例えば円形の開口（図示せず）が形成され、該開口を覆うように文字板１１がハウジング１６上に配置されている。文字板１１には、ボス部１６ａに対応した円形開口１７が形成されている。円形開口１７の内縁１７ａは、ボス部１６ａの端面１６ｂ上をその外方から該端面の内縁を越えて端面１６ｂの径方向内方に向けて伸長し、これにより端面１６ｂの内縁よりも内方へ環状に張り出す。
【００２２】
基板１５の裏面には、指針１４を駆動するための例えばステッピングモータからなるムーブメント１８が固定されている。ムーブメント１８は、基板１５の開口１５ａ及び文字板１１の円形開口１７を経て文字板１１上に突出する駆動軸１８ａを有し、該駆動軸の先端には、指針１４が固定されている。
【００２３】
指針１４は、従来よく知られているように、透光性を有し着色された例えばポリカーボネイトあるいはアクリルのような合成樹脂材料からなる。指針１４は、駆動軸１８ａへの結合部となる基部１４ａと、該基部の一側からキャップ１３のスリット１３ａを経て文字板１１の表面上に伸長する指針部１４ｂとを有する。指針１４は、ムーブメント１８の作動によって文字板１１上の表示部１２を指し示すように回動する。
【００２４】
また、基板１５の表面には、指針１４へ向けて照射光を放出する光源１９が設けられている。光源１９は、ボス部１６ａの内方に配置されており、例えば、白熱電球、ハロゲンランプあるいは発光ダイオード等で構成することができる。
【００２５】
この光源１９からの照射光を指針１４に効率的に導くために、従来におけると同様な透明な樹脂材料から成る導光部材２０が設けられている。前記導光部材２０は、少なくともその一部に、ハウジング１６に支持された筒状部２０ａを有する。この導光部材２０の筒状部２０ａは、駆動軸１８ａを取り巻いてボス部１６ａの内方に配置されている。導光部材２０の筒状部２０ａは、その底面２０ｂを光源１９に対向させて配置されており、その頂部に形成された平坦な頂面２０ｃを指針部１４ｂの底面に円形開口１７を通して対向させる。導光部材２０は、従来よく知られているように、その内部反射によって光源１９からの照射光を効率的に所望部分に案内することから、その筒状部２０ａは光源１９からの照射光を指針１４に効率的に案内する。この導光部材２０の案内作用により指針１４内に導かれた光は、散乱により指針１４を内部から照明することにより、指針１４自体を輝かせる。これにより指針１４の視認性が高められ、また装飾性が高められる。
【００２６】
遮光性のキャップ１３を不要とすることができるが、導光部材２０の筒状部２０ａからの不要な照明光を遮断し、これにより装飾性を高めることができるので、キャップ１３を設けることが望ましい。
【００２７】
本発明に係る車両用指示計器１０では、導光部材２０の筒状部２０ａの頂面２０ｃは、ボス部１６ａの端面１６ｂに一致して配置されており、該端面から張り出す文字板１１の内縁１７ａを受ける。この筒状部２０ａの頂面２０ｃには、その周方向に間隔をおいて複数のフック２１が筒状部２０ａに一体的に形成されている。
【００２８】
フック２１は、その弾性により、文字板１１の円形開口１７の相対的な挿通を許し、フック２１は、筒状部２０ａの頂面２０ｃから文字板１１を越えて該文字板の表面から突出する。また、文字板１１の表面から突出するフック２１の先端は、文字板１１の表面に係合可能であり、該文字板１１の開口１７の縁部である開口１７の内縁１７ａを係止する。このフック２１からなる係止部によって、文字板１１の内縁１７ａがハウジング１６のボス部１６ａから浮き上がることを確実に防止できる。
【００２９】
従って、本発明に係る車両用指示計器１０によれば、導光部材２０に形成された筒状部２０ａのフック２１からなる係止部の係止作用によって、従来のような係止のための専用の別部品を組み込むことなく、文字板１１のハウジング１６からの浮き上がりを確実に防止することができる。
【００３０】
〈実施の形態２〉
図３は、文字板１１の内縁１７ａを係止する係止部が導光部材２０の筒状部２０ａに形成された凹溝２２からなる例を示す。
【００３１】
導光部材２０に形成された筒状部２０ａの頂面２０ｃは、図３に示すように、キャップ１３内で文字板１１の表面を越えてこれよりも上方に位置する。また、筒状部２０ａの頂部には、凹溝２２が形成されており、該凹溝はハウジング１６に形成されたボス部１６ａの端面１６ｂを越えて張り出す文字板１１の内縁１７ａを部分的に受け入れる。すなわち、図３に示す例では、文字板１１の内縁１７ａにはその内径を部分的に減少させる張出部が形成され、この部分的な張出部を受け入れるべく、該張出部に対応して導光部材２０の周方向へ相互に間隔をおいて凹溝２２が形成されている。この凹溝２２と文字板１１の円形開口１７の内縁１７ａとの関係が図３に円形で囲まれた部分拡大図で明瞭に示されている。凹溝２２に受け入れられた文字板１１の内縁１７ａの張出部は、この凹溝２２が形成された筒状部２０ａの頂部で確実に挟持されることにより、ボス部１６ａの端面１６ｂからの文字板１１の内縁１７ａの浮き上がりが防止される。
【００３２】
これに代えて、文字板１１の円形開口１７を一様な内径で構成し、この開口１７の内縁１７ａをその周方向へ連続的に受け入れる環状溝を導光部材２０に形成することができる。この環状溝からなる係止部によれば、文字板１１の開口縁部すなわち内縁１７ａをその全周にわたる領域で挟持することができるので、文字板１１の内縁１７ａの浮き上がりを一層確実に防止することが可能となる。
【００３３】
本発明に係る車両用指示計器１０には、図示しないが必要に応じてキャップ１３と文字板１１との間からの漏れ光を防止するための種々の遮光手段を組み込むことができる。
【図面の簡単な説明】
【００３４】
【図１】本発明に係る車両用指示計器の実施の形態１の外観を部分的に示す斜視図である。
【図２】図１に示されたII−II線に沿って得られた断面図である。
【図３】本発明に係る車両用指示器の実施の形態２を示す図２と同様な図面である。
【符号の説明】
【００３５】
１０  車両用指示計器
１１  文字板
１３  キャップ
１４  指針
１６  ハウジング
１６ａ  ハウジングのボス部
１７  開口
１７ａ  （開口縁部）内縁
１８ａ  （回転軸線）駆動軸
２０  導光部材
２０ａ  導光部材の筒状部
２０ｃ  筒状部の頂面
２１  （係止部）フック
２２  （係止部）凹溝
【図１】
2005227050.tif 000003
【図２】
2005227050.tif 000004
【図３】
2005227050.tif 000005